(57)【要約】【課題】ショットブラストおよびレーザ光に対する耐久性を有する入駒部材、ネジ型タグおよびタグ検出方法を提供すること。【解決手段】金型１０の嵌込凹部１３に対して着脱自在に組み込まれる金属製の入駒部材２０Ａであり、本体２１Ａと、表面２０Ａ１または側面から凹むように形成されるタグ用凹部２２Ａと、タグ用凹部２２Ａに設置されると共に、ＩＣチップ７２およびコイルアンテナ７３を有するＩＣインレット７０を備え、非金属のタグ収納体６０ＡにＩＣインレット７０が収納されるＩＣタグ５０Ａと、ＩＣインレット７０よりも表面２０Ａ１側において少なくともＩＣインレット７０を覆うように配置される保護アーム２４Ａと、保護アーム２４Ａの周囲に設けられると共にタグ用凹部２２Ａと連通し、少なくとも本体２１Ａを流れる高周波電流および外部空間に形成される磁力線を透過させることが可能な外周スリット２３Ａと、を備える。【選択図】図２
2018176524.tif 000002
【特許請求の範囲】
【請求項１】
金型の嵌込凹部に対して着脱自在に組み込まれる金属製の入駒部材であって、
金属製の本体と、
前記本体の表面または側面から凹むように形成されるタグ用凹部と、
前記タグ用凹部に設置されると共に、ＩＣチップおよびコイルアンテナを有するＩＣインレットを備え、非金属のタグ収納体に前記ＩＣインレットが収納されるＩＣタグと、
前記ＩＣインレットよりも前記本体の表面側において少なくとも前記ＩＣインレットを覆うように配置されると共に前記本体と一体的な保護アームと、
前記保護アームの周囲に設けられると共に前記タグ用凹部と連通し、少なくとも前記本体を流れる高周波電流および外部空間に形成される磁力線を透過させることが可能な外周スリットと、
を備えることを特徴とする入駒部材。
【請求項２】
請求項１記載の入駒部材であって、
前記タグ用凹部は、前記本体の側面から凹むように形成されていて、
前記外周スリットは、一対の対向スリットと、これら一対の対向スリットを連結する連結スリットの合計３辺のスリットを有して前記保護アームの周囲に配置されている、
ことを特徴とする入駒部材。
【請求項３】
請求項１記載の入駒部材であって、
前記入駒部材には、本体の表面から凹む嵌合凹部が形成されていて、
前記嵌合凹部に設置される前記ＩＣタグは、金属を材質とする柱体を備えていて、
前記柱体には、その側面側を凹ませて形成されたタグ用凹部が設けられていて、
前記外周スリットは弧状に設けられて前記保護アームの周囲に配置されている、
ことを特徴とする入駒部材。
【請求項４】
請求項３記載の入駒部材であって、
前記柱体の外周面には雄ネジが形成されていて、
前嵌合凹部の内周面には雌ネジが形成されている、
ことを特徴とする入駒部材。
【請求項５】
請求項３または４に記載の入駒部材であって、
前記本体は、前記嵌込凹部の深さと同程度の厚みを有していて、
前記嵌合凹部に前記入駒部材を嵌め込んだ場合に、前記金型の表面と段差がなく平滑となるよう面一に設けられる、
ことを特徴とする入駒部材。
【請求項６】
請求項１から５のいずれか１項に記載の入駒部材であって、
前記外周スリットの幅は、０．１ｍｍ〜０．５ｍｍの範囲内となるように設けられている、
ことを特徴とする入駒部材。
【請求項７】
請求項１から６のいずれか１項に記載の入駒部材であって、
前記タグ収納体は、前記外周スリットに嵌まり込むフランジ部を有している、
ことを特徴とする入駒部材。
【請求項８】
金型の嵌込凹部に対して着脱自在に組み込まれる金属製の入駒部材に取り付けられるネジ型タグであって、
外周面に雄ネジが形成されたネジ本体部と、
前記ネジ本体部の側面側から凹ませることで形成された嵌合凹部と、
ＩＣチップおよびコイルアンテナを有するＩＣインレットと、
前記嵌合凹部に設置されると共に、非金属を材質とすると共に前記ＩＣインレットを収納するタグ収納体と、
前記ＩＣインレットよりも前記ネジ本体部の表面側において少なくとも前記ＩＣインレットを覆うように配置されると共に前記ネジ本体部と一体的な保護アームと、
前記保護アームの周囲に設けられると共に前記嵌合凹部と連通し、少なくとも前記ネジ本体部の表面を流れる高周波電流および外部空間に形成される磁力線を透過させることが可能な外周スリットと、
を備えることを特徴とするネジ型タグ。
【請求項９】
請求項８記載のネジ型タグであって、
前記外周スリットの幅は、０．１ｍｍ〜０．５ｍｍの範囲内となるように設けられている、
ことを特徴とするネジ型タグ。
【請求項１０】
請求項８または９記載のネジ型タグであって、
前記タグ収納体は、前記外周スリットに嵌まり込むフランジ部を有している、
ことを特徴とするネジ型タグ。
【請求項１１】
金型の嵌込凹部に対して着脱自在に組み込まれる金属製の入駒部材に取り付けられたＩＣタグを検出するタグ検出方法であって、
前記ＩＣタグは、入駒部材の金属製の本体の表面または側面から凹むように形成されるタグ用凹部に、ＩＣインレットを収納する非金属のタグ収納体を配置していて、
前記ＩＣインレットは前記本体の表面側において当該本体と一体的な保護アームによって覆われていると共に、
外部のリーダ装置との間に、当該電磁波を共振させる中継アンテナを配置する配置工程と、
前記中継アンテナを配置した状態で外部の前記リーダ装置を作動させる作動工程と、
を備え、
前記作動工程では、前記リーダ装置から生じる電磁波によって前記中継アンテナに高周波電流を生じさせると共に、前記高周波電流に基づいて前記タグ用凹部と連通する外部スリットを、前記高周波電流に対応した表面電流と磁力線のうちの少なくとも一方が通過することにより、前記ＩＣインレットが備えるコイルアンテナに電流を生じさせ、そのコイルアンテナに生じた電流を介して前記ＩＣインレットが備えるＩＣチップと前記リーダ装置との間で情報の送受信を行う、
を備えることを特徴とするタグ検出方法。
【発明の詳細な説明】
【技術分野】
【０００１】
本発明は、入駒部材、ネジ型タグおよびタグ検出方法に関する。
【背景技術】
【０００２】
ゴムやプラスチック等の樹脂を成型する際には、金型が用いられることが多い。この金型には、入駒部材を取り付けて、樹脂成型品の表面に刻印等の所定の模様を形成する場合がある。このような入駒部材は、適切なものを金型内部に取り付けることで、樹脂成型品を制作している。ここで、樹脂成型品を制作するのに先立って、入駒部材が適切なものであるか否かを作業者が目視確認した後に、金型内部に取り付けている。
【０００３】
また、樹脂成型品を一定数生産した後に、金型内部に樹脂等の付着物が存在することが多く、その付着物を金型内部から除去するようにしている。この付着物の除去においては、砥粒を金型内部に噴射するショットブラストが用いられることが多い。この場合、入駒部材もショットブラストの衝撃にさらされる状態となる。
【０００４】
また、現状では、各種の部品等に、ＩＣタグを取り付けて管理することが多い。たとえば、特許文献１には、ネジにＩＣタグが取り付けられたものが開示されている。また、特許文献２には、金属部材でＩＣタグが覆われることで、ＩＣタグを保護することが可能であると共に、取り付け穴等を介して対象物に取り付け可能なものが開示されている。
【先行技術文献】
【特許文献】
【０００５】
【特許文献１】特開２０１６−０２９５２４号公報
【特許文献２】特開２０１０−２１８５３７号公報
【発明の概要】
【発明が解決しようとする課題】
【０００６】
上述のように、入駒部材は、現状では、作業者の目視等によって適切な入駒部材を金型内部に取り付けている。しかしながら、ヒューマンエラーを防止するためには、たとえば入駒部材にＩＣタグを組み込んで、管理することが考えられる。そこで、特許文献１、２に開示の構成を、入駒部材に組み込むことが考えられる。
【０００７】
ここで、特許文献１に開示の構成を組み込む場合、ＩＣタグの全体が金属で覆われると外部のリーダ装置との間で通信を行うことができない。したがって、入駒部材にネジ孔や凹部を形成して、ＩＣタグが露出する状態で、金型内部に設置される入駒部材に取り付けられることになる。この場合、金型内部において付着物を除去する際のショットブラストを実行すると、付着物と共にＩＣタグが砥粒によって除去又は破壊されてしまう。したがって、特許文献１に開示の構成を、入駒部材に適用することは困難である。
【０００８】
また、入駒部材は、そのサイズが小さいものが多いことから、入駒部材に組み込まれるＩＣタグ保護構造も小型である必要がある。これに対して、特許文献２に開示のＩＣタグ保護構造は、ＩＣタグを特有の金属部材で覆う構成となっており、その小型化が難しい。したがって、特許文献２に開示の構成を入駒部材に取り付けようとしても、入駒部材からＩＣタグ保護構造が突出する状態となるケースが多い。この場合、金型によって成形される樹脂成型品の形態に影響を与えてしまい、好ましくない。
【０００９】
また、現状のショットブラストによる金型内部の洗浄（付着物の除去）に代えて、レーザ光を金型内部に照射し、付着物を焼損させることで、金型内部から付着物を除去することが検討されている。ここで、樹脂等の付着物を除去できるようなレーザ光を用いる場合、特許文献１、２に開示のような構成では、ＩＣインレットを覆う樹脂も焼損してしまい、ＩＣインレットも破壊されてしまう。したがって、金型内部に設置される入駒部材に取り付けられるＩＣタグ保護構造は、ショットブラストのみならず、レーザ光の照射に対してもＩＣインレットを保護することを求められている。
【００１０】
しかも、上述のＩＣタグ保護構造は、ショットブラストおよびレーザ光に対する耐久性を有しつつも、外部のリーダ装置との間の通信性も確保する必要があるが、特にレーザ光に対する耐久性を持たせる場合、ショットブラストへの耐久性を持たせる場合よりも、電磁波を透過させる部分の開口幅を小さくする必要があるが、そのような狭い開口幅では、外部のリーダ装置との間の通信感度が低下して応答しなくなる、という問題もある。
【００１１】
本発明は上記の事情にもとづきなされたもので、その目的とするところは、ショットブラストおよびレーザ光に対する耐久性を有する入駒部材、ネジ型タグおよびタグ検出方法を提供しよう、とするものである。また、本体の平滑面にＩＣタグの段差をなくして平滑に組み込み可能な入駒部材およびネジ型タグを提供できることが好ましい。また、ＩＣインレットの本来の感度が、耐久性向上や平滑となる取り付けを行うことで感度不足となった場合でも、外部のリーダ装置との間の通信感度を向上させることができるタグ検出方法を提供することが好ましい。
【課題を解決するための手段】
【００１２】
上記課題を解決するために、本発明の第１の観点によると、金型の嵌込凹部に対して着脱自在に組み込まれる金属製の入駒部材であって、金属製の本体と、本体の表面または側面から凹むように形成されるタグ用凹部と、タグ用凹部に設置されると共に、ＩＣチップおよびコイルアンテナを有するＩＣインレットを備え、非金属のタグ収納体にＩＣインレットが収納されるＩＣタグと、ＩＣインレットよりも本体の表面側において少なくともＩＣインレットを覆うように配置されると共に本体と一体的な保護アームと、保護アームの周囲に設けられると共にタグ用凹部と連通し、少なくとも本体を流れる高周波電流および外部空間に形成される磁力線を透過させることが可能な外周スリットと、を備えることを特徴とする入駒部材が提供される。
【００１３】
また、本発明の他の側面は、上述の発明において、タグ用凹部は、本体の側面から凹むように形成されていて、外周スリットは、一対の対向スリットと、これら一対の対向スリットを連結する連結スリットの合計３辺のスリットを有して保護アームの周囲に配置されている、ことが好ましい。
【００１４】
また、本発明の他の側面は、上述の発明において、入駒部材には、本体の表面から凹む嵌合凹部が形成されていて、嵌合凹部に設置されるＩＣタグは、金属を材質とする柱体を備えていて、柱体には、その側面側を凹ませて形成されたタグ用凹部が設けられていて、外周スリットは弧状に設けられて前記保護アームの周囲に配置されている、ことが好ましい。
【００１５】
また、本発明の他の側面は、上述の発明において、柱体の外周面には雄ネジが形成されていて、タグ用凹部の内周面には雌ネジが形成されている、ことが好ましい。
【００１６】
また、本発明の他の側面は、上述の発明において、本体は、嵌込凹部の深さと同程度の厚みを有していて、嵌合凹部に入駒部材を嵌め込んだ場合に、金型の表面と段差がなく平滑となるよう面一に設けられる、ことが好ましい。
【００１７】
また、本発明の他の側面は、上述の発明において、外周スリットの幅は、０．１ｍｍ〜０．５ｍｍの範囲内となるように設けられている、ことが好ましい。
【００１８】
また、本発明の他の側面は、上述の発明において、タグ収納体は、外周スリットに嵌まり込むフランジ部を有している、ことが好ましい。
【００１９】
また、本発明の第２の観点によると、金型の嵌込凹部に対して着脱自在に組み込まれる金属製の入駒部材に取り付けられるネジ型タグであって、外周面に雄ネジが形成されたネジ本体部と、ネジ本体部の側面側から凹ませることで形成された嵌合凹部と、ＩＣチップおよびコイルアンテナを有するＩＣインレットと、嵌合凹部に設置されると共に、非金属を材質とすると共にＩＣインレットを収納するタグ収納体と、ＩＣインレットよりもネジ本体部の表面側において少なくともＩＣインレットを覆うように配置されると共にネジ本体部と一体的な保護アームと、保護アームの周囲に設けられると共に嵌合凹部と連通し、少なくともネジ本体部の表面を流れる高周波電流および外部空間に形成される磁力線を透過させることが可能な外周スリットと、を備えることを特徴とするネジ型タグが提供される。
【００２０】
また、本発明の他の側面は、上述の発明において、外周スリットの幅は、０．１ｍｍ〜０．５ｍｍの範囲内となるように設けられている、ことが好ましい。
【００２１】
また、本発明の他の側面は、上述の発明において、タグ収納体は、外周スリットに嵌まり込むフランジ部を有している、ことが好ましい。
【００２２】
また、本発明の第３の観点によると、金型の嵌込凹部に対して着脱自在に組み込まれる金属製の入駒部材に取り付けられたＩＣタグを検出するタグ検出方法であって、ＩＣタグは、入駒部材の金属製の本体の表面または側面から凹むように形成されるタグ用凹部に、ＩＣインレットを収納する非金属のタグ収納体を配置していて、ＩＣインレットは本体の表面側において当該本体と一体的な保護アームによって覆われていると共に、外部のリーダ装置との間に、当該電磁波を共振させる中継アンテナを配置する配置工程と、中継アンテナを配置した状態で外部のリーダ装置を作動させる作動工程と、を備え、作動工程では、リーダ装置から生じる電磁波によって中継アンテナに高周波電流を生じさせると共に、高周波電流に基づいてタグ用凹部と連通する外部スリットを、高周波電流に対応した表面電流と磁力線のうちの少なくとも一方が通過することにより、ＩＣインレットが備えるコイルアンテナに電流を生じさせ、そのコイルアンテナに生じた電流を介してＩＣインレットが備えるＩＣチップとリーダ装置との間で情報の送受信を行う、を備えることを特徴とするタグ検出方法が提供される。
【発明の効果】
【００２３】
本発明によると、ショットブラストおよびレーザ光に対する耐久性を有する入駒部材、ネジ型タグおよびタグ検出方法を提供することができる。
【図面の簡単な説明】
【００２４】
【図１】本発明の各実施の形態に係る金型および入駒部材の構成を示す斜視図である。
【図２】本発明の第１の実施の形態に係る入駒部材の構成を示す部分的な斜視図である。
【図３】本発明の第１の実施の形態に係る入駒部材のタグ用凹部および外周スリット付近を拡大して示す斜視図である。
【図４】本発明の第１の実施の形態のタグ用凹部に嵌め込む前のＩＣタグの構成を示す斜視図である。
【図５】本発明の変形例に係り、保護アームに係止爪を設けると共に、柱体部に係止凹部を設ける構成を示す斜視図である。
【図６】本発明の第１の実施の形態において、金型に入駒部材を装着した状態を示す側断面図である。
【図７】図６に示す構成において、中継アンテナを用いてＩＣインレットのコイルアンテナにアンテナ電流を生じさせるイメージを示す図である。
【図８】本発明の第１の実施の形態に係り、リーダ装置と中継アンテナとが一体化された状態を示す概略図である。
【図９】本発明の第１の実施の形態に係り、中継アンテナの配置方向を示す概略図である。
【図１０】本発明の第２の実施の形態に係る入駒部材の構成を示す部分的な斜視図である。
【図１１】図１０に示す入駒部材に取り付けられるＩＣタグ（ネジ型タグ）の構成を示す斜視図である。
【図１２】図１１に示すＩＣタグからタグ収納体を取り外した状態のネジ本体部を示す斜視図である。
【図１３】図１０に示すＩＣタグの嵌合凹部に取り付けられるタグ収納体の構成を示す斜視図である。
【図１４】図１１に示すＩＣタグのネジ本体部の表面側または裏面側に存在する捻込用溝の形状を示す図である。
【図１５】図１４に示す捻込用溝に嵌め込まれる先端部を有する専用工具の構成を示す斜視図である。
【図１６】本発明の第２の実施の形態において、金型に入駒部材を装着した状態を示す側断面図である。
【図１７】図１６に示す構成において、中継アンテナを用いてＩＣインレットのコイルアンテナにアンテナ電流を生じさせるイメージを示す図である。
【発明を実施するための形態】
【００２５】
以下、本発明の各実施の形態に係る、入駒部材２０およびタグ検出方法について、以下に説明する。なお、以下の説明では、ＸＹＺ直交座標系を用いて説明することがある。そのうち、Ｘ方向は入駒部材２０の長手方向とし、図１において右上側をＸ１側、左下側をＸ２側とする。また、Ｙ方向は入駒部材２０の短手方向とし、図１において左上側をＹ１側、右下側をＹ２側とする。また、Ｚ方向は金型１０および入駒部材２０の厚み方向とし、図１において上側（奥側）をＺ１側、下側（手前側）をＺ２側とする。
【００２６】
＜金型の構成について＞
図１は、入駒部材２０が取り付けられた金型１０の下型１１を示す図である。金型１０は、たとえば上型（第１の型）と下型１１（第２の型）を備え、それらが接合されると、空洞部１２が形成される。この空洞部１２に樹脂が充填されることで、樹脂成型品を形成することができる。なお、図１では、下型１１を示しているが、この下型１１に代えて上型に本発明を適用しても良い。また、図１では、下型１１に存在する空洞部１２のみを図示している。
【００２７】
図１に示すように、金型１０の下型１１には、嵌込凹部１３が設けられていて、その嵌込凹部１３には、入駒部材２０が嵌め込まれている。入駒部材２０の表面には、たとえば刻印や所定のパターン形状等が形成されていて、入駒部材２０を入れ替えるだけで、刻印や所定のパターン形状等を変更することが可能となる。なお、入駒部材２０の表面には、その他、凹凸を含めた種々の形状を形成することが可能である。
【００２８】
このような下型１１と、図示を省略する上型とを突き合わせ、それらの間の空洞部１２に樹脂を充填することで、所望の形状樹脂成型品を得ることができる。また、製作された樹脂成型品の表面には、刻印や所定のパターン形状等に対応した形状が転写される。なお、空洞部１２に充填される樹脂は、溶融状態のものであっても良く、予め所定の形状に形成されたゴムや熱可塑性のプラスチック等であっても良い。また、空洞部１２を用いて、たとえば金属等にプレス加工を行うものであっても良い。
【００２９】
＜第１の実施の形態の入駒部材の構成について＞
以下、本発明の第１の実施の形態に係る入駒部材２０について説明する。以下の説明では、第１の実施の形態に係る構成に関しては、符号の後にアルファベット「Ａ」を付すものとする。図２は、嵌込凹部１３から外された入駒部材２０Ａの形状を示す図であり、部分的な斜視図である。図２に示すように、入駒部材２０Ａには、その本体２１Ａの側面にタグ用凹部２２Ａが設けられている。このタグ用凹部２２Ａには、後述するＩＣタグ５０Ａが嵌め込まれる。また、入駒部材２０Ａの表面２０Ａ１には、後述するＩＣタグ５０Ａが嵌め込まれることにより外周スリット２３Ａが設けられる。この外周スリット２３Ａは、タグ用凹部２２Ａに連通する（貫通する）ように設けられている。
【００３０】
なお、嵌込凹部１３に入駒部材２０Ａが嵌め込まれた状態では、下型１１と入駒部材２０Ａとは面一になるように設けられている。すなわち、入駒部材２０Ａの本体２１Ａの厚みは、嵌込凹部１３の深さと同程度となるように設けられている。
【００３１】
図３は、タグ用凹部２２Ａおよび外周スリット２３Ａ付近を拡大して示す斜視図である。図３に示すように、外周スリット２３Ａには、図２に示す構成では、略コ字形状（略Ｕ字形状）となるように、３辺に亘って設けられている。すなわち、外周スリット２３Ａには、対向している一対の対向スリット２３Ａ１，２３Ａ２と、一対の対向スリット２３Ａ１，２３Ａ２の端部側でこれらを連結する連結スリット２３Ａ３の合計３辺のスリットとが存在している。なお、連結スリット２３Ａ３は、図３ではスリット状ではないが、図１に示すように嵌込凹部１３に入駒部材２０（入駒部材２０Ａ）が嵌め込まれることで、スリット状となるので、ここでは、スリット（連結スリット２３Ａ３）として説明する。
【００３２】
また、入駒部材２０Ａの表面２０Ａ１と、タグ用凹部２２Ａとの間であって、外周スリット２３Ａに囲まれた部位は、保護アーム２４Ａとなっている。保護アーム２４Ａは、ショットブラストの衝撃や、レーザ光の照射にも耐えることが可能な程度の肉厚を有している。したがって、タグ用凹部２２Ａに嵌め込まれたＩＣタグ５０Ａのうち、保護アーム２４Ａの下方側に位置する部分は、保護アーム２４Ａにより、ショットブラストの衝撃やレーザ光の照射に耐えることが可能となっている。
【００３３】
ここで、金型などの分野におけるタグ用凹部２２Ａおよび外周スリット２３Ａの寸法例を以下に示す。図３に示すように、一対の対向スリット２３Ａ１，２３Ａ２の間隔ａは、５．０ｍｍ〜８．０ｍｍとなっている。また、それぞれの対向スリット２３Ａ１，２３Ａ２の幅ｂは、０．１ｍｍ〜０．５ｍｍとなっている。また、入駒部材２０Ａの表面２０Ａ１からタグ用凹部２２Ａの底部までの深さｃは、３．０ｍｍ〜８．０ｍｍとなっている。また、連結スリット２３Ａ３の幅ｄは、０．１ｍｍ〜０．５ｍｍとなっている。さらに、保護アーム２４Ａの厚みｅは、材質にも依存するが、１．０ｍｍ〜２．０ｍｍとなっている。なお、対向スリット２３Ａ１，２３Ａ２の幅ｂ、および連結スリット２３Ａ３の幅ｄは、平滑性や耐久性が優先されるのであれば狭い方が好ましく、感度が優先されるのであれば広い方が好ましい。なお、金型１０を含む金型などの分野では、対向スリット２３Ａ１，２３Ａ２の幅ｂ、および連結スリット２３Ａ３の幅ｄは、０．１ｍｍ〜０．１５ｍｍの範囲内とするのが好ましい。
【００３４】
＜第１の実施の形態のＩＣタグの構成について＞
図４は、タグ用凹部２２Ａに嵌め込む前のＩＣタグ５０Ａの構成を示す斜視図である。図４に示すように、ＩＣタグ５０Ａは、タグ収納体６０Ａと、ＩＣインレット７０（単にインレットともいう；ＩＣチップ体に対応）とを有している。タグ収納体６０Ａは、誘電性樹脂材料で形成された樹脂を材質として形成されている。ただし、タグ収納体６０Ａは、例えば、磁路の流れを良くするために、誘電性樹脂材料以外に、磁性体の粉末、または誘電体と磁性体の粉末の混合体などを用いるようにしても良い。
【００３５】
タグ収納体６０Ａは、タグ用凹部２２Ａおよび外周スリット２３Ａに対応した外形形状に設けられている。図４に示す構成では、タグ収納体６０Ａには、タグ用凹部２２Ａに対応した柱体部６１Ａと、その柱体部６１Ａから上方側（Ｚ１側）に向かって突出するフランジ部６２Ａとが設けられている。フランジ部６２Ａは、外周スリット２３Ａに嵌まり込む部分であり、その嵌まり込みに対応して、外周スリット２３Ａは略コ字形状（略Ｕ字形状）となるように、３辺に亘って設けられている。
【００３６】
また、柱体部６１Ａには、インレット取付穴６３Ａが設けられていて、このインレット取付穴６３ＡにはＩＣインレット７０が挿入状態で取り付けられる。
【００３７】
かかるタグ収納体６０Ａの各寸法は、上述したタグ用凹部２２Ａおよび外周スリット２３Ａの各寸法と同等となっている。したがって、タグ収納体６０Ａの各寸法についての記載は省略する。ここで、タグ用凹部２２Ａと外周スリット２３Ａのうち、少なくともタグ用凹部２２Ａには、タグ収納体６０Ａは、たとえば締まり嵌めのような嵌合によって取り付けることが可能である。しかしながら、図５に示すように、保護アーム２４Ａに係止爪２４Ａ１を設けると共に、柱体部６１Ａに係止凹部６１Ａ１を設ける構成としても良い。
【００３８】
なお、タグ収納体６０Ａがタグ用凹部２２Ａに嵌め込まれた場合、入駒部材２０Ａの表面２０Ａ１とタグ収納体６０Ａのフランジ部６２Ａとは面一になるように設けられている。それにより、金型１０によって製作される樹脂成型品に余分な段差が形成されるのを防止している。ここで、本実施の形態では、外周スリット２３Ａは、その幅ｂ，ｄが０．１ｍｍ〜０．５ｍｍの範囲内と非常に狭く設けられている。したがって、フランジ部６２Ａが削れる等して、入駒部材２０Ａの表面２０Ａ１と面一でない場合でも、樹脂成型品にバリ状の部分が形成されるか、または樹脂が外周スリット２３Ａに入り込み、成形品取り出し時にバリとはならず成形品からちぎれて残留するなど、金型１０を用いて製作される樹脂成型品が不良となるのを防止可能となっている。
【００３９】
次に、ＩＣインレット７０について説明する。図４に示すように、ＩＣインレット７０は、ＩＣタグ基板７１と、ＩＣチップ７２と、コイルアンテナ７３とを備えている。ＩＣタグ基板７１は、略矩形状をなす平板形状に形成されている。ＩＣタグ基板７１としては、たとえばガラスエポキシ基板あるいはＰＥＴを始めとした樹脂製のフィルムを用いることができる。ＩＣタグ基板７１は、ＩＣチップ７２と、コイルアンテナ７３とを有しているが、そのうちＩＣチップ７２は、各種のデータを記憶する。
【００４０】
＜ＩＣタグのＩＣインレットの保護について＞
以上のような構成によると、入駒部材２０ＡにＩＣタグ５０Ａを取り付けて、その入駒部材２０Ａを金型１０に装着すると、図６に示すような状態となる。図６は、金型１０に入駒部材２０Ａを装着した状態を示す側断面図である。このとき、入駒部材２０Ａのタグ用凹部２２Ａには、ＩＣタグ５０Ａが取り付けられるが、そのＩＣタグ５０ＡのＩＣインレット７０は、保護アーム２４Ａの下側に配置された状態となる。
【００４１】
したがって、ショットブラストに際して、仮に外周スリット２３Ａから砥粒が入り込んでも、ＩＣインレット７０が保護アーム２４Ａで保護されているので、ＩＣインレット７０が砥粒で破壊されるのを防止することができる。また、レーザ光の照射によって、金型内部の付着物を焼損させる場合に、外周スリット２３Ａからレーザ光が入り込んでも、ＩＣインレット７０が保護アーム２４Ａで保護されているので、ＩＣインレット７０が焼損するのを防止することができる。
【００４２】
＜ＩＣタグと外部のリーダ装置との通信について＞
次に、ＩＣタグ５０Ａと外部のリーダ装置１００との通信について説明する。なお、リーダ装置１００は、情報を読み取る機能のみならず、ＩＣインレット７０のＩＣチップ７２に情報を書き込む機能を有しても良いのは勿論である。
【００４３】
本実施の形態では、通信に際して、中継アンテナ８０を用いるようにしている（この中継アンテナ８０を配置する工程が配置工程に対応）。図７は、図６に示す構成において、中継アンテナ８０を用いてＩＣインレット７０のコイルアンテナ７３にアンテナ電流ｉ３を生じさせるイメージを示す図である。中継アンテナ８０は、たとえばダイポールアンテナであり、ＲＦＩＤ通信にて用いられるＵＨＦ帯の周波数として９２０ＭＨｚの半波長程度の長さ（約１６ｃｍ）に設けられている。この中継アンテナ８０は、外部のリーダ装置１００を作動させた際に（作動工程に対応）、そのリーダ装置１００から放射される電磁波を受信することにより、その表面に、図７に示すような高周波電流ｉ１が流れる。そして、高周波電流ｉ１による進行波および反射波によって、中継アンテナ８０の両端の端部が電流ゼロとなり中心が電流の大きさが最大となるような定在波が形成される。
【００４４】
すると、入駒部材２０Ａの表面２０Ａ１には、高周波電流ｉ１に対応し誘導されて流れるイメージ電流ｉ２が流れる。なお、入駒部材２０Ａは、金型１０の内部に設置されることから、高周波電流ｉ１を取り巻く磁力線のうち、中継アンテナ８０の端部側および中央側の磁力線φ１２は、中継アンテナ８０よりも大きい寸法の金型１０を取り巻くようなループを描けない（金型１０の金属内部には入り込めない）。したがって、図７に示すように、イメージ電流ｉ２の向きは、高周波電流ｉ１とは逆向きとなる（外部から見るとキャンセルし合うような向き）となる。
【００４５】
ここで、イメージ電流ｉ２は、連結スリット２３Ａ３の存在によって、入駒部材２０Ａの表面２０Ａ１を流れるのが遮断される。そして、このイメージ電流ｉ２は、たとえば、連結スリット２３Ａ３の一方の内壁面からタグ用凹部２２Ａの表面を流れ、保護アーム２４Ａの裏面を流れ、さらに連結スリット２３Ａ３の他方の内壁面から保護アーム２４Ａの表面を流れることで、再び入駒部材２０Ａの表面２０Ａ１を流れるものがある。このようなイメージ電流ｉ２により、ＩＣインレット７０内のコイルアンテナ７３にアンテナ電流ｉ３が相互誘導（トランス結合）によって流れる。
【００４６】
そして、このアンテナ電流ｉ３により、ＩＣタグ基板７１からの情報が読み出され、またアンテナ電流ｉ３によりＩＣタグ基板７１に情報が書き込まれる。ＩＣタグ基板７１から読み出された情報は、再びアンテナ電流ｉ３、イメージ電流ｉ２および高周波電流ｉ１を経て、外部のリーダ装置１００に伝達される。
【００４７】
なお、高周波電流ｉ１を取り巻く磁力線のうち、図７に示すような中継アンテナ８０の中央側の磁力線φ１３は、対向スリット２３Ａ１，２３Ａ２を通過することができる。すなわち、磁力線φ１３は、タグ用凹部２２Ａよりも外部の外部空間と、タグ用凹部２２Ａの内部でありＩＣタグ５０Ａが設置されている内部空間とを連絡することができる。このため、上述の相互誘導（トランス結合）と共に、または上述の相互誘導（トランス結合）によらずに、磁力線φ１３によって、コイルアンテナ７３にアンテナ電流ｉ３を生じさせる、と考えることもできる。
【００４８】
ここで、図７には、高周波電流ｉ１、イメージ電流ｉ２およびアンテナ電流ｉ３の向きの一例を示しており、それらの向きは、逆向きであっても良い。すなわち、高周波電流ｉ１に対してイメージ電流ｉ２が同じ向きに流れても良く、またイメージ電流ｉ２に対してアンテナ電流ｉ３が逆向きに流れても良い。なお、入駒部材２０Ａを下型１１に組み込んだ状態で厚みや幅等の寸法が小さい場合には、磁力線φ１２は、これらを取り巻くようなループを形成し易くなるので、高周波電流ｉ１とイメージ電流ｉ２が同じ向きとなり易い。また、ＩＣインレット７０のサイズが小さく、内部空間（タグ用凹部２２Ａ）が広く、内部空間（タグ用凹部２２Ａ）の内壁から離れた状態でＩＣインレット７０が設置される場合には、イメージ電流ｉ２に対してアンテナ電流ｉ３が逆向きに流れる場合がある。
【００４９】
なお、図７に示すように、中継アンテナ８０は、弓形（弧状）に設けられている。それにより、中継アンテナ８０の端部側を、入駒部材２０Ａの表面２０Ａ１等のような金属部分から離間させることができる。また、このような弓形（弧状）に中継アンテナ８０が設けられることで、電流の大きさが最大となる中継アンテナ８０の中央部分を、金属部分やＩＣタグ５０Ａ等に近づけ、一方、電圧の大きさが最大となる中継アンテナ８０の両端部分を、金属部分から離間させて感度を大きくさせる配置とすることができる。ただし、中継アンテナ８０を、たとえば非金属の樹脂等で覆うことにより、金属部分との間の絶縁を確保するようにしても良い。
【００５０】
また、図７に示すように、リーダ装置１００は、受信した情報をネットワーク２００を介してサーバ２１０に送信するようにしても良い。あるいは、リーダ装置１００が、ネットワーク２００やサーバ２１０の役割を内蔵していても良い。図７では、それぞれの役割が分離されている場合を代表として示している。サーバ２１０には、入駒部材２０Ａに関する情報が記録される。これにより、サーバ２１０によって、入駒部材２０Ａに関する固有の情報が管理可能となる。
【００５１】
このような固有の情報としては、入駒部材２０Ａの個体番号や、入駒部材２０Ａの表面２０Ａ１の刻印に関する情報、使用開始や使用時間に関する情報、取り付けられるべき金型１０に関する情報、金型１０内部の付着物の除去（クリーニング）を行った時期や回数に関する情報が挙げられる。また、金型１０の付着物の除去（クリーニング）が規定回数に到来して、入駒部材２０Ａの寿命が到来したと判断される場合には、必要に応じて、入駒部材２０Ａの発注処理を行うようにしても良い。
【００５２】
また、１つの金型１０に複数の入駒部材２０Ａが取り付けられる場合、サーバ２１０は、全ての入駒部材２０Ａに関して、取り付けられるべき金型１０に関する情報が一致しない場合には、エラーメッセージをネットワーク２００を介して、リーダ装置１００に送信するようにしても良い。この場合、リーダ装置１００は、受信したエラーメッセージを出力し、作業者に、取り付けられるべき入駒部材２０Ａのいずれかが誤っていることを通知することが可能である。これにより、入駒部材２０Ａの取り付けの不具合を防止することが可能となる。
【００５３】
また、必要に応じて、ＩＣタグ５０ＡのＩＣチップ７２に記録したい情報を、サーバ２１０から送信し、ネットワーク２００を介して、リーダ装置１００に送信するようにしてもよい。
【００５４】
また、図８に示すように、中継アンテナ８０は、外部のリーダ装置１００と一体化させた構成を採用することもできる。図８は、リーダ装置１００と中継アンテナ８０とが一体化された状態を示す概略図である。この場合、リーダ装置１００に対して、面ファスナーのような着脱部材１１０を介して、リーダ装置１００に中継アンテナ８０を着脱自在に取り付けるようにしても良い。また、着脱部材１１０を、たとえば樹脂製の離間部材１２０を介して、中継アンテナ８０をリーダ装置１００から離間させた状態で取り付けるようにししても良い。なお、離間部材１２０の材質としては、空気の割合が高い発泡スチロール等が好ましい。
【００５５】
ここで、中継アンテナ８０は、磁力線φ１３が対向スリット２３Ａ１，２３Ａ２を通過できるように配置するのが、リーダ装置１００での感度が良好になるので好ましい。すなわち、図９に示すように、中継アンテナ８０はＸ方向に沿うように配置するのが好ましく、しかも、中継アンテナ８０は、図９に示す配置線Ｌのような保護アーム２４Ａの上部に位置させるのが好ましい。それにより、磁力線φ１３は、ＩＣタグ５０Ａが設置されている内部空間に入り込み、その磁力線φ１３がコイルアンテナ７３を通過する状態とすることができる。また、コイルアンテナ７３の延伸方向あるいは巻き方向に沿う向きのイメージ電流ｉ２を生じさせることができ、比較的大きなアンテナ電流ｉ３を生じさせることができる。
【００５６】
＜第１の実施の形態の効果＞
以上のような構成の入駒部材２０Ａおよびタグ検出方法によると、本体２１Ａの表面２０Ａ１または側面から凹むように、タグ用凹部２２Ａが形成されている。また、タグ用凹部２２Ａには、ＩＣチップ７２およびコイルアンテナ７３を有するＩＣインレット７０を備え、非金属のタグ収納体６０ＡにＩＣインレット７０が収納されるＩＣタグ５０Ａが設置される。また、ＩＣタグ５０Ａよりも本体２１Ａの表面２０Ａ１側において少なくともＩＣインレット７０を覆うように、本体２１Ａと一体的な保護アーム２４Ａが配置されている。この保護アーム２４Ａの周囲には、タグ用凹部２２Ａと連通すると共に少なくとも本体２１Ａを流れる高周波電流ｉ１および外部空間に形成される磁力線φ１３を透過させることが可能な外周スリット２３Ａが設けられている。
【００５７】
このような構成により、金型１０の内部の付着物の除去（クリーニング）を行うために、ショットブラストやレーザ光を照射した場合でも、ＩＣインレット７０は保護アーム２４Ａによって保護される。したがって、入駒部材２０Ａは、ＩＣインレット７０を保護することができるので、ショットブラストやレーザ光に対する耐久性を持たせることができる。
【００５８】
また、上述したような耐久性を有しながらも、外周スリット２３Ａを備えることで、イメージ電流ｉ２および外部空間に形成される磁力線φ１３を透過させることができる。そのため、内部空間に配置されたＩＣインレット７０と外部空間に配置されたリーダ装置１００の間で、情報の送受信が可能となる。
【００５９】
また、入駒部材２０ＡにＩＣタグ５０Ａが取り付けられることにより、目視によらずに入駒部材２０Ａを管理することが可能となる。それにより、入駒部材２０Ａを金型１０（下型１１）に装着する際のヒューマンエラーを防ぐことができ、入駒部材２０Ａの装着ミスによる製造ロスを削減することが可能となる。
【００６０】
また、本実施の形態では、タグ用凹部２２Ａは、本体２１Ａの側面から凹むように形成されている。また、外周スリット２３Ａは、一対の対向スリット２３Ａ１，２３Ａ２と、これら一対の対向スリット２３Ａ１，２３Ａ２を連結する連結スリット２３Ａ３の合計３辺のスリットを有して保護アーム２４Ａの周囲に配置されている。このため、イメージ電流ｉ２は、連結スリット２３Ａ３を介して内部空間（タグ用凹部２２Ａ）の内壁面に入り込ませることができる。これと共に、磁力線φ１３は、一対の対向スリット２３Ａ１，２３Ａ２を介して内部空間（タグ用凹部２２Ａ）に入り込ませることができる。それにより、内部空間に配置されたＩＣインレット７０と外部空間に配置されたリーダ装置１００の間で、情報の送受信が可能となる。
【００６１】
また、本実施の形態では、本体２１Ａは、嵌込凹部１３の深さと同程度の厚みを有していて、嵌込凹部１３に入駒部材２０Ａを嵌め込んだ場合に、金型１０の表面と入駒部材２０Ａの表面２０Ａ１とが面一に設けられている。このため、金型１０によって製作される樹脂成型品に余分な段差が形成されるのを防止可能となり、金型１０を用いて製作される樹脂成型品が不良となるのを防止可能となる。
【００６２】
また、本実施の形態では、外周スリット２３Ａの幅ｂ，ｄは、図１の金型１０を含む金型などの分野においては０．１ｍｍ〜０．５ｍｍの範囲内となるように設けられている。このため、金型１０の内部に存在する付着物を除去するためにショットブラストを実行する場合には、砥粒の大きさを調整することで外周スリット２３Ａに入り込むのを低減可能となり、レーザ光を照射した場合には、外周スリット２３Ａからレーザ光が入り込むのを低減可能となる。しかも、外周スリット２３Ａの幅ｂ，ｄを、上述の範囲内に設定することで、ＩＣインレット７０とリーダ装置１００との間の通信を確保することが可能となる。
【００６３】
また、本実施の形態では、タグ収納体６０Ａは、外周スリット２３Ａに嵌まり込むフランジ部６２Ａを有している。したがって、フランジ部６２Ａと入駒部材２０Ａの表面２０Ａ１とを面一にすることができる。それにより、金型１０によって製作される樹脂成型品に余分な段差が形成されるのを防止可能となり、金型１０を用いて製作される樹脂成型品が不良となるのを防止可能となる。
【００６４】
また、本実施の形態では、外部のリーダ装置１００と入駒部材２０Ａの間に、電磁波を共振させる中継アンテナ８０を配置する配置工程と、中継アンテナを配置した状態で外部のリーダ装置を作動させる作動工程と、を備えている。そして、作動工程では、リーダ装置１００から生じる電磁波によって中継アンテナ８０に高周波電流ｉ１を生じさせる。これと共に、高周波電流ｉ１に基づいてタグ用凹部２２Ａと連通する外周スリット２３Ａを、高周波電流ｉ１に対応した表面電流（イメージ電流ｉ２）と磁力線φ１３のうちの少なくとも一方が通過することにより、ＩＣインレット７０が備えるコイルアンテナ７３に電流（アンテナ電流ｉ３）を生じさせる。そして、そのコイルアンテナ７３に生じた電流（アンテナ電流ｉ３）を介してＩＣインレット７０が備えるＩＣチップ７２とリーダ装置１００との間で情報の送受信を行う。
【００６５】
したがって、中継アンテナ８０を用いることで、リーダ装置１００とＩＣインレット７０との間の上方の送受信の感度を向上させることが可能となる。
【００６６】
なお、たとえばＩＣインレット７０として、株式会社日立化成のＵＨＦ帯のＩＭ５−ＰＫ２５２５型（商品名）においては、そのサイズは、２．５ｍｍ四方となっていて、その厚みは０．４ｍｍとなっている。かかるＩＭ５−ＰＫ２５２５型（商品名）のＩＣインレット７０は、ＵＨＦの波長（９２０ＭＨｚでは約３２ｃｍ）に比べ十分に大きな金属表面にＩＣインレット７０の表面が直交するように配置すると、３０ｄＢｍの出力の電磁波で、金属表面から少なくとも５ｃｍの上空で検出できる、という検出感度を有している。
【００６７】
かかるＩＣインレット７０を用いる場合、本実施の形態のような外周スリット２３Ａでは、その幅ｂ，ｄが狭過ぎて、リーダ装置１００でＩＣインレット７０を検出することが不能となっている。
【００６８】
これに対して、本実施の形態のような中継アンテナ８０を配置し、外周スリット２３Ａを磁界およびイメージ電流ｉ２の出入り口とすることで、ＩＣインレット７０とリーダ装置１００との間の上方の送受信が良好に行える状態とすることができる。
【００６９】
（第２の実施の形態）
以下、本発明の第２の実施の形態に係る、入駒部材２０Ｂ、タグ取付用ボルト１００Ｂおよびタグ検出方法について、以下に説明する。図１０は、本発明の第２の実施の形態に係る入駒部材２０Ｂの構成を示す部分的な斜視図である。
【００７０】
第１の実施の形態の入駒部材２０Ａにおいては、その側面にタグ用凹部２２Ａが存在した構成となっている。これに対して、本実施の形態では、図１０に示すように、入駒部材２０Ｂには、その表面２０Ｂ１から凹むような嵌合凹部２２Ｂ（図１５参照）が設けられている。嵌合凹部２２Ｂは、本実施の形態では、雌ネジＳ１が形成されたネジ穴となっている。この嵌合凹部２２Ｂに、後述するＩＣタグ５０Ｂを捻じ込むことで、嵌合凹部２２ＢにＩＣタグ５０Ｂが取り付けられる構成となっている。
【００７１】
図１１は、ＩＣタグ５０Ｂ（ネジ型タグ）の構成を示す斜視図である。本実施の形態のＩＣタグ５０Ｂは、金属を材質とする（たとえば棒状などの）柱体である。図１１には、柱体の外周に雄ネジＳ２が形成されたネジ型タグが示されており、その形態は、イモネジ状となっている。このＩＣタグ５０Ｂは、ネジ本体部９０Ｂ（本体および柱体に対応）を備えていて、そのネジ本体部９０Ｂに、ＩＣインレット７０を取り付けたタグ収納体６０Ｂが取り付けられる。なお、ＩＣタグ５０Ｂは、ネジ山（雄ネジＳ２）を有しない柱体（たとえば円柱体）であっても良い。
【００７２】
このＩＣタグ５０Ｂ（ネジ型タグ）を入駒部材２０Ｂに取り付ける場合、所定の深さまで嵌合凹部２２Ｂに捻じ込むようにしても良い。また、たとえばＩＣタグ５０Ｂ（ネジ型タグ）の裏面側から所定のスペーサや固定用のネジを捻じ込むことで、嵌合凹部２２Ｂに対するＩＣタグ５０Ｂ（ネジ型タグ）の捻じ込み深さを維持するようにしても良い。
【００７３】
図１２は、ＩＣタグ５０Ｂからタグ収納体６０Ｂを取り外した状態のネジ本体部９０Ｂを示す斜視図である。図１２に示すように、ネジ本体部９０Ｂは、その側面側から切り欠かれたタグ用凹部９１Ｂを有していて、このタグ用凹部９１Ｂにタグ収納体６０Ｂが取り付けられる。このとき、タグ用凹部９１Ｂの上側（Ｚ１側）には、上述した保護アーム２４Ａと機能的に同様の保護アーム９２Ｂが存在している。したがって、タグ用凹部９１Ｂに取り付けられたタグ収納体６０Ｂを、この保護アーム９２Ｂで保護することを可能としている。
【００７４】
また、保護アーム９２Ｂの外周側には、外周スリット９３Ｂが設けられている。図１１に示すように、外周スリット９３Ｂは、タグ収納体６０Ｂの周状フランジ部６２Ｂが位置する部分である。ＩＣタグ５０Ｂを嵌合凹部２２Ｂに取り付けた場合でも、外周スリット９３Ｂの存在により、イメージ電流ｉ２がタグ用凹部９１Ｂに流れ、また磁力線φが通過することが可能となっている。なお、ＩＣタグ５０Ｂを入駒部材２０Ｂに嵌合してできる外周スリット９３Ｂの形状は、図１２に示す弧状の他、三日月状であったり、その近縁形状など、設計事情によって変形可能である。また、外周スリット９３Ｂ３は、図１２ではスリット状ではないが、図１０に示すように嵌合凹部２２ＢにＩＣタグ５０Ｂが嵌め込まれることで、スリット状となるので、ここでは、スリット（外周スリット９３Ｂ）として説明する。
【００７５】
図１３は、タグ用凹部９１Ｂに取り付けられるタグ収納体６０Ｂの構成を示す斜視図である。図１３に示すように、タグ収納体６０Ｂは、上述したタグ収納体６０Ａと同様の誘電性樹脂材料を材質としている。また、タグ収納体６０Ｂは、イモネジを半分に切断した形態の柱体部６１Ｂを備えていて、その形態の柱体部６１Ｂは、タグ用凹部９１Ｂに対応した形状となっている。また、柱体部６１Ｂから上方側（Ｚ１側）に向かって周状フランジ部６２Ｂが突出している。この周状フランジ部６２Ｂは、上述した外周スリット９３Ｂに対応した形状となっている。
【００７６】
なお、周状フランジ部６２Ｂは、上述した外周スリット２３Ａと同様の機能を有する部分である。しかしながら、周状フランジ部６２Ｂは、対向スリット２３Ａ１，２３Ａ２および連結スリット２３Ａ３が周状に連続するような形態となっている。
【００７７】
また、タグ収納体６０Ｂは、上述のタグ収納体６０Ａと同様に、タグ用凹部９１Ｂに対してたとえば締まり嵌めのような嵌合によって取り付けることが可能である。しかしながら、図５に示すのと同様の係止爪や係止凹部を設けることで、タグ収納体６０Ｂがタグ用凹部９１Ｂから脱落するのを防止する構成を採用しても良い。
【００７８】
また、図１３に示すように、柱体部６１Ｂのうち、保護アーム９２Ｂに当接すると共に周状フランジ部６２Ｂで囲まれた上底部６１Ｂ１には、インレット取付穴６３Ｂが設けられていて、このインレット取付穴６３ＢにはＩＣインレット７０が挿入状態で取り付けられる。
【００７９】
なお、このタグ収納体６０Ｂおよびネジ本体部９０Ｂの各寸法については、次のようになっている。すなわち、図１２におけるＩＣタグ５０Ｂの直径ａは上述した図３の間隔ａと同程度であり、外周スリット９３Ｂの幅ｂおよび幅ｄは上述した図３の幅ｂおよび幅ｄと同程度であり、ネジ本体部９０Ｂの表面からタグ用凹部９１Ｂの底部までの深さｃは上述した図３の深さｃと同程度であり、保護アーム９２Ｂの厚みｅは上述した図３の厚みｅと同程度となっている。
【００８０】
図１４は、ＩＣタグ５０Ｂのネジ本体部９０Ｂの表面側または裏面側に存在する、捻込用溝９４Ｂの形状を示す図である。上述したＩＣタグ５０Ｂ（ネジ型タグ）を嵌合凹部２２Ｂに取り付ける場合、そのＩＣタグ５０Ｂの表面側または裏面側に存在する、捻込用溝９４Ｂに工具の先端部を嵌め込んで、ＩＣタグ５０Ｂを回転させる。なお、図１４（Ａ）は、図１５に示すような専用工具３００に対応する捻込用溝９４Ｂを示す平面図である。図１４（Ａ）に示す捻込用溝９４Ｂでは、一定距離を置いて離れた円形状の凹部が２か所設けられている。しかしながら、円形状の凹部は、３か所以上存在しても良い。
【００８１】
図１４（Ｂ）は十字溝タイプの捻込用溝９４Ｂを示す図であり、図１４（Ｃ）は六角穴タイプの捻込用溝９４Ｂを示す図である。なお、これら図１４（Ｂ）および図１４（Ｃ）に示す捻込用溝９４Ｂは、十字ドライバや六角レンチ等の汎用の工具を用いて、嵌合凹部２２ＢにＩＣタグ５０Ｂを捻じ込むことができる。
【００８２】
なお、図１５に示す専用工具３００は、その先端側に係合部３０１が設けられていて、その係合部３０１が捻込用溝９４Ｂに嵌め込まれる。この嵌め込み状態でＩＣタグ５０Ｂを回転させることで、嵌合凹部２２ＢにＩＣタグ５０Ｂを捻じ込むことができる。
【００８３】
＜ＩＣタグのＩＣインレットの保護について＞
以上のような、第２の実施の形態に係る入駒部材２０Ｂに、ＩＣタグ５０Ｂを取り付けて、その入駒部材２０Ｂを金型１０に装着すると、図１６に示すような状態となる。図１６は、金型１０に入駒部材２０Ｂを装着した状態を示す側断面図である。この構成においても、第１の実施の形態の構成と同様に、ＩＣタグ５０ＢのＩＣインレット７０は、保護アーム９２Ｂの下側に配置された状態となる。
【００８４】
したがって、ショットブラストに際して、仮に外周スリット２３Ａから砥粒が入り込んでも、ＩＣインレット７０が保護アーム９２Ｂで保護されているので、ＩＣインレット７０が砥粒で破壊されるのを防止することができる。また、レーザ光の照射によって、金型内部の付着物を焼損させる場合に、外周スリット９３Ｂからレーザ光が入り込んでも、ＩＣインレット７０が保護アーム９２Ｂで保護されているので、ＩＣインレット７０が焼損するのを防止することができる。
【００８５】
また、本実施の形態において、内部空間と外部空間とで通信する際のイメージを図１７に示す。図１７に示すように、外部のリーダ装置１００から放射される電磁波は、中継アンテナ８０を介してＩＣインレット７０のコイルアンテナ７３にアンテナ電流ｉ３を生じさせることができる。ここで、図１７に示す高周波電流ｉ１は、外周スリット９３Ｂの両端から離間した中央部分の上空を主として通過する。これは、図７に示す連結スリット２３Ａ３の上空を流れる、ということに対応している。また、図１７に示す磁力線φは、外周スリット９３Ｂのうち、中央部分から離れた側（中央部分を除く両端までの側辺）を主として通過する、という点が図７に示す磁力線φが対向スリット２３Ａ２と対向スリット２３Ａ１を通過する、ということに対応している。
【００８６】
なお、図１７に示す高周波電流ｉ１、イメージ電流ｉ２、アンテナ電流ｉ３は、上述した相違点以外は、図７に示したのと同様である。したがって、それらの詳細についての説明は省略する。
【００８７】
＜第２の実施の形態の効果＞
以上のような構成の入駒部材２０Ｂ、ＩＣタグ５０Ｂ（ネジ型タグ）およびタグ検出方法によると、上述した第１の実施の形態における入駒部材２０Ａおよびタグ検出方法に加えて、次のような効果を生じさせることができる。
【００８８】
すなわち、本実施の形態のＩＣタグ５０Ｂ（ネジ型タグ）では、外周面に雄ネジＳ２が形成されたネジ本体部９０Ｂと、そのネジ本体部９０Ｂの側面側から凹ませることで形成されたタグ用凹部９１Ｂとを備えている。また、タグ用凹部９１Ｂに設置され、非金属を材質とすると共にＩＣインレット７０を収納するタグ収納体６０Ｂと、ＩＣインレット７０よりもネジ本体部９０Ｂの表面側において少なくともＩＣインレット７０を覆うように、ネジ本体部９０Ｂと一体的な保護アーム９２Ｂが配置されている。また、保護アーム９２Ｂの周囲には、タグ用凹部９１Ｂと連通すると共に、少なくともネジ本体部９０Ｂの表面を流れる高周波電流ｉ１および外部空間に形成される磁力線φ１３を透過させることが可能な外周スリット９３Ｂが設けられている。
【００８９】
したがって、本実施の形態のＩＣタグ５０Ｂ（ネジ型タグ）では、上述した第１の実施の形態におけるＩＣタグ５０Ａと同等の機能を備えながらも、嵌合凹部２２Ｂに対する取り付けを容易化することができる。すなわち、ＩＣタグ５０Ｂの雄ネジＳ２と、嵌合凹部２２Ｂの雌ネジＳ１とをネジ結合させることで、ＩＣタグ５０Ｂを入駒部材２０Ｂに容易に取り付けることができる。また、より一層強固な脱落防止効果を得ることができる。
【００９０】
また、本実施の形態では、嵌合凹部２２Ｂは、入駒部材２０Ｂの本体２１Ｂの表面から凹むように形成されている。また、ＩＣタグ５０Ｂは、金属を材質とする柱体（ネジ本体部９０Ｂ）を備えていて、その柱体（ネジ本体部９０Ｂ）には、側面側を凹ませて形成されたタグ用凹部９１Ｂが設けられている。また、外周スリット９３Ｂは弧状に設けられて、保護アーム９２Ｂの周囲に配置されている。したがって、ネジ本体部９０Ｂに対して、タグ収納体６０Ｂを容易に取り付けることが可能となる。これと共に、イメージ電流ｉ２は、外周スリット９３Ｂを介して内部空間（タグ用凹部９１Ｂ）の内壁面に入り込ませることができる。これと共に、磁力線φ１３は、外周スリット９３Ｂを介して内部空間（タグ用凹部９１Ｂ）に入り込ませることができる。それにより、内部空間に配置されたＩＣインレット７０と外部空間に配置されたリーダ装置１００の間で、情報の送受信が可能となる。
【００９１】
また、本実施の形態では、柱体（ネジ本体部９０Ｂ）の外周面にはＢの雄ネジＳ２が形成されていて、嵌合凹部２２Ｂの内周面には雌ネジＳ１が形成されている。したがって、ＩＣタグ５０Ｂの雄ネジＳ２と、嵌合凹部２２Ｂの雌ネジＳ１とをネジ結合させることで、ＩＣタグ５０Ｂを入駒部材２０Ｂに容易に取り付けることができる。さらにまた、ネジ結合することで、より一層強固な脱落防止効果を得ることができる。
【００９２】
＜変形例＞
以上、本発明の各実施の形態について説明したが、本発明はこれ以外にも種々変形可能となっている。以下、それについて述べる。
【００９３】
上述の第１の実施の形態では、外周スリット２３Ａは、略コ字形状（略Ｕ字形状）となるように、３辺に亘って設けられている。しかしながら、外周スリット２３Ａは、円弧を始めとする弧状となるように形成されても良い。
【００９４】
また、上述の各実施の形態では、入駒部材２０Ａやネジ本体部９０Ｂに、ＩＣインレット７０を収納するタグ収納体６０Ａ，６０Ｂを取り付ける場合について、それぞれ説明している。しかしながら、これら以外の部材に、ＩＣインレット７０を収納するタグ収納を取り付けるようにしても良い。そのようなものとしては、たとえば金型内部に設置される中子等がある。
【００９５】
また、上述の第２の実施の形態においては、ＩＣタグ５０Ｂは、イモネジタイプではなく、ネジ頭部を有する鍋ネジタイプ、六角ボルト等、種々のタイプのネジに適用することができる。
【００９６】
また、上述の各実施の形態では、外周スリット２３Ａは、上下方向（Ｚ方向）に沿うように設けられている。しかしながら、外周スリット２３Ａは、上下方向（Ｚ方向）に対して傾斜する方向に沿うように形成しても良い。このようにしても、イメージ電流ｉ２をタグ用凹部２２Ａ，９１Ｂ（内部空間）に流すことが可能であり、また磁力線φ１３をタグ用凹部２２Ａ，９１Ｂ（内部空間）に透過させることができるためである。
【００９７】
また、フランジ部６２Ａ、周状フランジ部６２Ｂ、外周スリット２３Ａおよび外周スリット９３Ｂなどの部材は、電流を遮断する絶縁体であれば良く、樹脂に限定されるものではなく、耐熱性に優れたり耐摩耗性に優れるセラミックやフェライト部材であっても良い。あるいはまた、柱体部６１Ａと柱体部６１Ｂを絶縁体とし、外周スリット２３Ａと外周スリット９３Ｂの部位に他の部材を入り込ませない状態（空気が存在する状態）としても良い。
【００９８】
また、上述の各実施の形態においては、ＲＦＩＤ通信にて用いられるＵＨＦ帯の周波数としては９２０ＭＨｚが好適である。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良い。
【符号の説明】
【００９９】
１０…金型、１１…下型、１２…空洞部、１３…嵌込凹部、２０，２０Ａ，２０Ｂ…入駒部材、２０Ａ１，２０Ｂ１…表面、２１Ａ…本体、２２Ａ，９１Ｂ…タグ用凹部、２２Ｂ…嵌合凹部、２３Ａ，９３Ｂ…外周スリット、２３Ａ１，２３Ａ２…対向スリット、２３Ａ３…連結スリット、２４Ａ，９２Ｂ…保護アーム、２４Ａ１…係止爪、５０Ａ，５０Ｂ…ＩＣタグ、６０Ａ，６０Ｂ…タグ収納体、６１Ａ…柱体部、６２Ａ…フランジ部、６２Ｂ…周状フランジ部、６３Ａ…インレット取付穴、７０…ＩＣインレット、７１…ＩＣタグ基板、７２…ＩＣチップ、７３…コイルアンテナ、８０…中継アンテナ、９０Ｂ…ネジ本体部（柱体に対応）、９１Ｂ…タグ用凹部、９４Ｂ…捻込用溝、１００…リーダ装置、１１０…着脱部材、１２０…離間部材、２００…ネットワーク、２１０…サーバ、３００…専用工具、Ｌ…配置線、Ｓ１…雌ネジ、Ｓ２…雄ネジ
【図１】
2018176524.tif 000003
【図２】
2018176524.tif 000004
【図３】
2018176524.tif 000005
【図４】
2018176524.tif 000006
【図５】
2018176524.tif 000007
【図６】
2018176524.tif 000008
【図７】
2018176524.tif 000009
【図８】
2018176524.tif 000010
【図９】
2018176524.tif 000011
【図１０】
2018176524.tif 000012
【図１１】
2018176524.tif 000013
【図１２】
2018176524.tif 000014
【図１３】
2018176524.tif 000015
【図１４】
2018176524.tif 000016
【図１５】
2018176524.tif 000017
【図１６】
2018176524.tif 000018
【図１７】
2018176524.tif 000019